(57)【要約】      （修正有）【課題】パケットネットワークと回線交換ネットワークが併存する無線通信環境において、パケットネットワークを介した音声通信ができない場合に、音声通信を効果的に実現する移動局、移動通信システム及び方法を提供する。【解決手段】移動局は、パケット音声通信をサポートするマルチメディア通信システムに接続可能なパケットネットワークとパケット方式により無線信号を送受信するパケット通信部と、回線交換ネットワークと回線交換方式により無線信号を送受信する回線交換通信部とを有し、パケットネットワークからマルチメディア通信システムのパケット音声通信利用可否情報を取得し、パケットネットワークにおいてパケット方式により音声通信することが不可であると判断すると、パケット通信部によるパケットネットワークとのパケット形式による音声通信を、回線交換通信部による回線交換ネットワークとの回線交換形式による音声通信に切り替える。【選択図】図１
2010251864.tif 000002
【特許請求の範囲】
【請求項１】
パケット音声通信をサポートするマルチメディア通信システムに接続可能なパケットネットワークとパケット方式により無線信号を送受信するパケット通信部と、
回線交換ネットワークと回線交換方式により無線信号を送受信する回線交換通信部と、
前記パケットネットワークから前記マルチメディア通信システムのパケット音声通信利用可否情報を取得し、前記パケット音声通信利用可否情報に基づき前記パケットネットワークにおいてパケット方式により音声通信することが可能か判断するパケットベース音声発信可否判定部と、
前記パケットベース音声発信可否判定部からの判定結果に応じて、前記パケット通信部と前記回線交換通信部との何れかを選択して、前記選択された通信部に音声通信させる切替制御部と、
を有する移動局であって、
前記パケットベース音声発信可否判定部が、前記パケットネットワークにおいてパケット方式により音声通信することが不可であると判断すると、前記切替制御部は、前記パケット通信部による前記パケットネットワークとのパケット形式による音声通信を、前記回線交換通信部による前記回線交換ネットワークとの回線交換形式による音声通信に切り替える移動局。
【請求項２】
前記パケットベース音声発信可否判定部は、当該移動局の前記パケットネットワークへの位置登録時又は位置登録更新時に前記パケットネットワークから前記パケット音声通信利用可否情報を取得し、前記パケット音声通信利用可否情報に基づき前記パケットネットワークにおいてパケット方式により音声通信することが可能か判断する、請求項１記載の移動局。
【請求項３】
前記パケットベース音声発信可否判定部が、当該移動局の前記パケットネットワークへの位置登録時又は位置登録更新時に取得した前記パケット音声通信利用可否情報に基づき前記パケットネットワークにおいてパケット方式により音声通信することが不可であると判断した場合、前記切替制御部は、当該移動局のユーザからの音声発信要求に応答して、前記回線交換通信部に前記回線交換ネットワークと回線交換形式により音声通信させる、請求項２記載の移動局。
【請求項４】
前記パケットベース音声発信可否判定部が、当該移動局の前記パケットネットワークへの位置登録時又は位置登録更新時に取得した前記パケット音声通信利用可否情報に基づき前記パケットネットワークにおいてパケット方式により音声通信することが可能であると判断した場合、該判断以降の何れかの時点で、前記マルチメディア通信システムによる音声通信制御が失敗したことを前記パケットベース音声発信可否判定部が検出すると、前記パケットベース音声発信可否判定部は、前記パケットネットワークにおいてパケット方式により音声通信することが不可であると判断し、前記切替制御部は、前記パケット通信部による前記パケットネットワークとのパケット形式による音声通信を、前記回線交換通信部による前記回線交換ネットワークとの回線交換形式による音声通信に切り替える、請求項３記載の移動局。
【請求項５】
当該移動局が前記パケットネットワークに以前に接続したとき、前記パケットベース音声発信可否判定部が、前記パケットネットワークにおいてパケット方式により音声通信することが不可であると判断していた場合、当該移動局が以降において前記パケットネットワークに接続したとき、前記切替制御部は、前記パケットベース音声発信可否判定部からの判定結果を受け付けることなく前記回線交換通信部に前記回線交換ネットワークと回線交換形式により音声通信させる、請求項１記載の移動局。
【請求項６】
前記パケットネットワークからの当該移動局への音声着信の前後に、前記パケットベース音声発信可否判定部が、当該移動局が接続している前記パケットネットワークにおいてパケット方式により音声通信することが不可であると判断すると、前記切替制御部は、前記パケット通信部による前記パケットネットワークとのパケット形式による音声通信を、前記回線交換通信部による前記回線交換ネットワークとの回線交換形式による音声通信に切り替える、請求項１記載の移動局。
【請求項７】
パケット音声通信をサポートするマルチメディア通信システムに接続可能なパケットネットワークと、
回線交換ネットワークと、
移動局とを有する移動通信システムであって、
前記移動局は、
前記パケットネットワークとパケット方式により無線信号を送受信するパケット通信部と、
前記回線交換ネットワークと回線交換方式により無線信号を送受信する回線交換通信部と、
前記パケットネットワークから前記マルチメディア通信システムのパケット音声通信利用可否情報を取得し、前記パケット音声通信利用可否情報に基づき前記パケットネットワークにおいてパケット方式により音声通信することが可能か判断するパケットベース音声発信可否判定部と、
前記パケットベース音声発信可否判定部からの判定結果に応じて、前記パケット通信部と前記回線交換通信部との何れかを選択して、前記選択された通信部に音声通信させる切替制御部と、
を有する移動局であって、
前記パケットベース音声発信可否判定部が、前記パケットネットワークにおいてパケット方式により音声通信することが不可であると判断すると、前記切替制御部は、前記パケット通信部による前記パケットネットワークとのパケット形式による音声通信を、前記回線交換通信部による前記回線交換ネットワークとの回線交換形式による音声通信に切り替える移動通信システム。
【請求項８】
前記パケットベース音声発信可否判定部は、前記移動局の前記パケットネットワークへの位置登録時又は位置登録更新時に前記パケットネットワークから取得した前記パケット音声通信利用可否情報、及び／又は検出された前記マルチメディア通信システムによる音声通信制御状態に基づき、前記パケットネットワークにおいてパケット方式により音声通信することが可能か判断する、請求項７記載の移動通信システム。
【請求項９】
パケット音声通信をサポートするマルチメディア通信システムに接続可能なパケットネットワークとパケット方式により無線信号を送受信するステップと、
前記パケットネットワークから前記マルチメディア通信システムのパケット音声通信利用可否情報を取得するステップと、
前記パケット音声通信利用可否情報に基づき、前記パケットネットワークにおいてパケット方式により音声通信することが可能か判断するステップと、
前記パケットネットワークにおいてパケット方式により音声通信することが不可であると判断すると、前記パケットネットワークとのパケット形式による音声通信を、回線交換ネットワークとの回線交換形式による音声通信に切り替えるステップと、
を有する方法。
【請求項１０】
移動局が、パケット音声通信をサポートするマルチメディア通信システムに接続可能なパケットネットワークとパケット方式により無線信号を送受信するステップと、
前記パケットネットワークが、前記マルチメディア通信システムのパケット音声通信利用可否情報を前記移動局に送信するステップと、
前記移動局が、前記パケット音声通信利用可否情報に基づき、前記パケットネットワークにおいてパケット方式により音声通信することが可能か判断するステップと、
前記移動局が、前記パケットネットワークにおいてパケット方式により音声通信することが不可であると判断すると、前記パケットネットワークに回線交換ネットワークとの回線交換形式による音声通信に切り替える旨の通知を前記パケットネットワークに送信するステップと、
前記パケットネットワークが、前記回線交換ネットワークと同期して、前記移動局が接続すべき前記回線交換ネットワークのセルを前記移動局に通知するステップと、
前記移動局が、前記通知されたセルに接続し、前記回線交換ネットワークとの回線交換形式による音声通信を実行するステップと、
を有する方法。
【発明の詳細な説明】
【技術分野】
【０００１】
本発明は、移動局、移動通信システム及びその方法に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）により標準化されたＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）では、移動通信ネットワークは、回線交換サービスを提供する回線交換ドメインと、パケットサービスを提供するパケット交換ドメインという２つのアーキテクチャを有している。このＵＭＴＳによる移動通信ネットワークでは、データ通信はパケット交換ドメインで行われ、音声通信は回線交換ドメインにおいて行わている。
【０００３】
３ＧＰＰはさらに、ＵＭＴＳに続く新たな通信方式としてＬＴＥ（Ｌｏｎｇ  Ｔｅｒｍ  Ｅｖｏｌｕｔｉｏｎ）を策定した。このＬＴＥネットワークでは、データだけでなく音声もまたパケット形式により通信される。このパケット音声通信（ＶｏＩＰ）は、ＳＩＰ（Ｓｅｓｓｉｏｎ  Ｉｎｉｔｉａｔｉｏｎ  Ｐｒｏｔｏｃｏｌ）を基礎としたＩＰ（Ｉｎｔｅｒｎｅｔ  Ｐｒｏｔｏｃｏｌ）マルチメディアセッション制御技術であるＩＭＳ（ＩＰ  Ｍｕｌｔｉｍｅｄｉａ  Ｓｕｂｓｙｓｔｅｍ）により実現される。ＩＭＳは、パケット通信による音声やテレビ電話などのリアルタイムマルチメディアサービスを提供するための機能を有している。
【０００４】
このようなＵＭＴＳネットワークとＬＴＥネットワークとが併存する状況では、回線交換ドメインでの音声通話機能と、パケット交換ドメインでの音声通話機能、いわゆる、ＶｏＩＰ（Ｖｏｉｃｅ  ｏｖｅｒ  ＩＰ）機能との双方をサポートする移動局が利用されることがある。
【先行技術文献】
【非特許文献】
【０００５】
【非特許文献１】3GPP TS 36.331: "Evolved Universal Terrestrial Radio Access (E-UTRAN); Radio Resource Control (RRC); Protocol Specification" clause 5.3.12, clause 5.4.3.3
【非特許文献２】3GPP TS 36.304: "Evolved Universal Terrestrial Radio Access (E-UTRAN); User Equipmemt (UE) procedures in idle mode" clause 5.2.7
【非特許文献３】3GPP TS 23.272: "Technical Specification Group Services and System Aspects; Circuit Switched Fallback in Evolved Packet System"
【発明の概要】
【発明が解決しようとする課題】
【０００６】
本発明の課題は、パケットネットワークと回線交換ネットワークが併存する無線通信環境において、パケットネットワークを介した音声通信ができない場合に、音声通信を効果的に実現する移動局、移動通信システム及びその方法を提供することである。
【課題を解決するための手段】
【０００７】
上記課題を解決するため、本発明の一特徴は、パケット音声通信をサポートするマルチメディア通信システムに接続可能なパケットネットワークとパケット方式により無線信号を送受信するパケット通信部と、回線交換ネットワークと回線交換方式により無線信号を送受信する回線交換通信部と、前記パケットネットワークから前記マルチメディア通信システムのパケット音声通信利用可否情報を取得し、前記パケット音声通信利用可否情報に基づき前記パケットネットワークにおいてパケット方式により音声通信することが可能か判断するパケットベース音声発信可否判定部と、前記パケットベース音声可否判定部からの判定結果に応じて、前記パケット通信部と前記回線交換通信部との何れかを選択して、前記選択された通信部に音声通信させる切替制御部とを有する移動局であって、前記パケットベース音声発信可否判定部が、前記パケットネットワークにおいてパケット方式により音声通信することが不可であると判断すると、前記切替制御部は、前記パケット通信部による前記パケットネットワークとのパケット形式による音声通信を、前記回線交換通信部による前記回線交換ネットワークとの回線交換形式による音声通信に切り替える移動局に関する。
【発明の効果】
【０００８】
本発明の上記特徴によれば、パケットネットワークと回線交換ネットワークが併存する無線通信環境において、パケットネットワークを介した音声通信ができない場合に、音声通信を効果的に実現することができる。
【図面の簡単な説明】
【０００９】
【図１】図１は、本発明の各実施例が適用される移動通信システムを示す。
【図２】図２は、本発明の一実施例による移動局の一例となる構成を示す。
【図３】図３は、本発明の一実施例による移動通信システムの各要素間の動作を示すシーケンス図である。
【図４】図４は、本発明の他の実施例による移動通信システムの各要素間の動作を示すシーケンス図である。
【図５】図５は、本発明のさらなる他の実施例による移動通信システムの各要素間の動作を示すシーケンス図である。
【図６】図６は、本発明のさらなる他の実施例による移動通信システムの各要素間の動作を示すシーケンス図である。
【図７】図７は、本発明のさらなる他の実施例による移動通信システムの各要素間の動作を示すシーケンス図である。
【図８】図８は、ＣＳフォールバック発信に応答した音声通信例を示すシーケンス図である。
【発明を実施するための形態】
【００１０】
ＵＭＴＳネットワークとＬＴＥネットワークとが併存する状況では、回線交換ドメインでの音声通話機能と、パケット交換ドメインでの音声通話機能、いわゆる、ＶｏＩＰ（Ｖｏｉｃｅ  ｏｖｅｒ  ＩＰ）機能との双方をサポートする移動局が利用されることがある。
【００１１】
しかしながら、このような移動局は、接続したＬＴＥネットワークがＩＭＳをサポートしていない場合、又はサポートしていても移動局が当該ＬＴＥネットワークからＩＭＳに関する情報を取得できない場合、ＩＭＳを利用することができず、音声通信ができないケースがある。
【００１２】
また、移動局が接続したＬＴＥネットワークのＩＭＳを利用できた場合であっても、ＩＭＳを利用した音声通信における接続失敗の発生などの理由によって、ＶｏＩＰが利用した音声通信ができないケースもある。
【００１３】
本発明の一特徴は、パケットネットワークと回線交換ネットワークが併存する移動通信システムにおいて、パケット方式による音声通信を可能にする機能と、回線交換方式による音声通信を可能にする機能とを有し、パケットネットワークでの音声通信が不可であると判断すると、パケット方式による音声通信を回線交換方式による音声通信に切り替える移動局に関する。
【００１４】
上記特徴によると、パケットネットワークにおいて音声通信が利用可能でない場合であっても、移動局は、回線交換ネットワークに切り替えることにより回線交換方式により音声通信を実現することができる。
【００１５】
図１を参照して、本発明の各実施例が適用される移動通信システムが説明される。図１は、本発明の各実施例が適用される移動通信システムを示す。図示されるように、移動通信システム１００は、ＵＭＴＳネットワーク２００と、ＬＴＥネットワーク３００と、移動局４００と、ＰＤＮ  ＳＡＥ（Ｐａｃｋｅｔ  Ｄａｔａ  Ｎｅｔｗｏｒｋ  Ｓｙｓｔｅｍ  Ａｒｃｈｉｔｅｃｔｕｒｅ  Ｅｖｏｌｕｔｉｏｎ）ゲートウェイ５００と、ＩＭＳ６００とを有する。
【００１６】
本実施例では、ＵＭＴＳネットワーク２００が、回線交換ネットワークの一例として説明されるが、本発明は、これに限定されるものでない。本発明は、テレビ電話を含む音声通信を回線交換形式により通信する他の任意のネットワークに適用可能である。
【００１７】
また、本実施例では、ＬＴＥネットワーク３００が、パケット交換ネットワークの一例として説明されるが、本発明は、これに限定されるものでない。本発明は、テレビ電話を含む音声通信をパケット方式により通信する他の任意のネットワークに適用可能である。
【００１８】
さらに、本実施例では、ＰＤＮ  ＳＡＥゲートウェイ５００がＩＭＳ６００などの外部アプリケーションシステムとＬＴＥネットワーク３００との間のゲートウェイの一例として説明されるが、本発明は、これに限定されるものでない。本発明は、ＩＭＳ６００などの外部アプリケーションシステムとＬＴＥネットワーク３００との間のゲートウェイとして機能する他の何れかのゲートウェイに適用可能である。
【００１９】
さらに、本実施例では、ＩＭＳ６００がパケット形式による音声通信（ＶｏＩＰ）を提供するアプリケーションシステムとして説明されるが、本発明は、これに限定されるものでない。本発明は、パケット形式による音声通信を含むマルチメディア通信を提供する他の何れかのアプリケーションシステムに適用可能である。
【００２０】
また、本実施例における音声通信は、音声通話、テレビ電話などのマルチメディア情報のリアルタイム通信など、回線交換方式により提供可能な何れか適切なタイプの通信を含むものである。
【００２１】
ＵＭＴＳネットワーク２００は、移動局４００と無線接続され、複数の基地局（ＮｏｄｅＢ）２１０，２２０と、無線制御装置２３０と、移動先位置登録装置／交換装置（ＭＣＳ／ＶＬＲ）２４０と、パケットサービスノード（ＳＧＳＮ／ＧＧＳＮ）２５０とを有する。基地局２１０，２２０と、無線制御装置２３０とは、ＵＭＴＳネットワーク２００における無線アクセスネットワーク（ＵＴＲＡＮ）を構成する。この無線アクセスネットワークが、移動局４００と無線信号をやりとりする。他方、移動先位置登録装置／交換装置（ＭＣＳ／ＶＬＲ）２４０と、パケットサービスノード（ＳＧＳＮ／ＧＧＳＮ）２５０とは、ＵＭＴＳネットワーク２００の基幹部分となるコアネットワークを構成する。
【００２２】
基地局（ＮｏｄｅＢ）２１０，２２０はそれぞれ、アンテナと制御装置などから構成され、移動局４００との間で無線信号を送受信する。各基地局は、セルと呼ばれる一定の通信エリアを提供し、セル内の移動局４００と無線信号を送受信する。図１では２つの基地局２１０，２２０しか示されていないが、移動通信システム１００の通信エリア全体がカバーされるよう複数の基地局が適切に配置される。
【００２３】
無線制御装置２３０は、複数の基地局２１０，２２０に接続され、移動局４００と基地局２１０，２２０との間の通信路（チャネル）を設定及び開放するよう基地局２１０，２２０を制御する。また、無線制御装置２３０は、移動局４００が基地局２１０のセルから基地局２２０のセルに移動したとき、移動局４００と通信する基地局を移動元の基地局２１０から移動先の基地局２２０に切り替えるハンドオーバを実行する。
【００２４】
移動先位置登録装置／交換装置（ＭＳＣ／ＶＬＲ）２４０は、無線制御装置２３０に接続され、ＵＭＴＳネットワーク２００における回線交換方式による通信機能を提供する。本実施例では、ＭＳＣ／ＶＬＲ（Ｍｏｂｉｌｅ  Ｓｗｉｔｃｈｉｎｇ  Ｃｅｎｔｅｒ／Ｖｉｓｉｔｏｒ  Ｌｏｃａｔｉｏｎ  Ｒｅｇｉｓｔｅｒ）２４０は、説明の簡単化のため単一の要素として示されているが、本発明はこれに限定されるものでない。ＭＳＣ／ＶＬＲ２４０は、回線交換方式による音声通信サービスを提供し、ＵＭＴＳネットワーク２００の回線交換ドメインにアクセスしている移動局４００の位置を把握し、移動局４００の通話を接続及び交換するよう無線制御装置２３０を制御する。また、ＭＳＣ／ＶＬＲ２４０は、回線交換ドメインにアクセスしている移動局４００のユーザの加入者情報をＨＬＲ（Ｈｏｍｅ  Ｌｏｃａｔｉｏｎ  Ｒｅｇｉｓｔｅｒ）（図示せず）などから取得し、この加入者情報に基づきサービスを提供し、ユーザを認証する。
【００２５】
パケットサービスノード（ＳＧＳＮ／ＧＧＳＮ）２５０は、無線制御装置２３０に接続され、ＵＭＴＳネットワーク２００におけるパケット交換方式による通信機能を提供する。本実施例では、ＳＧＳＮ／ＧＧＳＮ（Ｓｅｒｖｉｎｇ  ＧＰＲＳ  Ｓｕｐｐｏｒｔ  Ｎｏｄｅ／Ｇａｔｅｗａｙ  ＧＰＲＳ  Ｓｕｐｐｏｒｔ  Ｎｏｄｅ）２５０は、説明の簡単化のため単一の要素として示されているが、本発明はこれに限定されるものでない。ＳＧＳＮ／ＧＧＳＮ２５０は、回線交換ドメインのＭＳＣ／ＶＬＲ２４０に相当するものであり、ＵＭＴＳネットワーク２００のパケット交換ドメインにアクセスしている移動局４００の位置を把握し、ＵＭＴＳのパケット転送プロトコルに従って無線制御装置２３０を介し移動局４００とＩＰパケットをやりとりする。また、ＳＧＳＮ／ＧＧＳＮ２５０は、移動局４００からの接続要求に従って、インターネットなどＵＭＴＳネットワーク２００の外部のＩＰネットワーク（図示せず）との接続を制御する。
【００２６】
ＬＴＥネットワーク３００は、移動局４００と無線接続され、複数の基地局（ｅＮｏｄｅＢ）３１０と、Ｓｅｒｖｉｎｇ−ＧＷ（Ｓｅｒｖｉｎｇ−Ｇａｔｅｗａｙ）３２０と、ＭＭＥ（Ｍｏｂｉｌｉｔｙ  Ｍａｎａｇｅｍｅｎｔ  Ｅｎｔｉｔｙ）３３０とを有する。
【００２７】
ｅＮｏｄｅＢ（ｅｖｏｌｏｖｅｄ  ＮｏｄｅＢ）３１０は、上述したＵＭＴＳネットワーク２００における無線アクセスネットワークの各機能を有すると共に、ＳＧＳＮ／ＧＧＳＮ２５０の各機能も有してもよい。ｅＮｏｄｅＢは、移動局４００とパケット交換形式により通信し、ＬＴＥネットワーク３００におけるＥＵＴＲＡＮ（Ｅｖｏｌｏｖｅｄ  ＵＴＲＡＮ）を構成する。
【００２８】
Ｓｅｒｖｉｎｇ−ＧＷ３２０は、ＬＴＥネットワーク３００において基地局３１０及びＭＭＥ３３０と接続され、またＵＭＴＳネットワーク２００のＳＧＳＮ／ＧＧＳＮ２５０及びＰＤＮ  ＳＡＥゲートウェイ５００と接続される。Ｓｅｒｖｉｎｇ−ＧＷ３２０は、移動局４００に送受信されるパケットデータを中継する機能を有する。具体的には、Ｓｅｒｖｉｎｇ−ＧＷ３２０は、移動局４００から基地局３１０を介し受信したパケットデータを、ＰＤＮ  ＳＡＥゲートウェイ５００を介しＩＭＳ６００などの外部システム及びネットワークに転送する。他方、Ｓｅｒｖｉｎｇ−ＧＷ３２０は、ＩＭＳ６００などの外部システムからＰＤＮ  ＳＡＥゲートウェイ５００を介し受信したパケットデータを、基地局３１０を介し移動局４００に転送する。また、Ｓｅｒｖｉｎｇ−ＧＷ３２０は、ＵＭＴＳネットワーク２００のＳＧＳＮ／ＧＧＳＮ２５０とパケットデータをやりとりし、ＵＭＴＳネットワーク２００がＩＭＳ６００などの外部システム及びネットワークとパケットデータを送受信することを可能にする。
【００２９】
ＭＭＥ３３０は、ＬＴＥネットワーク３００にアクセスしている移動局の位置を登録し、ページングや基地局３１０の間のハンドオーバなどのモビリティ管理を行う。
【００３０】
移動局４００は、ＵＭＴＳネットワーク２００とＬＴＥネットワーク３００と基地局２１０，２２０，３１０を介し無線接続し、ユーザが他の移動局４００と音声通信することを可能にするだけでなく、インターネットなどの外部ネットワークとデータ通信することも可能にする。また、移動局４００は、この音声通信を実現するため、回線交換ドメインでの音声通話機能と、パケット交換ドメインでの音声通話機能、いわゆる、ＶｏＩＰ（Ｖｏｉｃｅ  ｏｖｅｒ  ＩＰ）機能との双方をサポートしている。
【００３１】
ＰＤＮ  ＳＡＥゲートウェイ５００は、Ｓｅｒｖｉｎｇ−ＧＷ３２０及びＩＭＳ６００などの外部システム及びネットワークに接続される。ＰＤＮ  ＳＡＥゲートウェイ５００は、ＵＭＴＳネットワーク２００及びＬＴＥネットワーク３００とＩＭＳ６００などの外部システム及びネットワークとの間でパケットデータをやりとりするための接続ノードとして機能する。
【００３２】
ＩＭＳ６００は、ＰＤＮ  ＳＡＥゲートウェイ５００を介しＵＭＴＳネットワーク２００及びＬＴＥネットワーク３００と接続され、ＵＭＴＳネットワーク２００及びＬＴＥネットワーク３００に対する電話サービス、テレビ電話サービス、その他ＩＰベースの各種マルチメディアサービスを提供する。
【００３３】
次に、図２を参照して移動局４００の一例となる構成を説明する。図２は、本発明の一実施例による移動局の一例となる構成を示す。なお、本発明を不明りょうにすることを回避するため、移動局４００における本発明の特徴的要素でないアンテナなどの周知な構成要素については適宜省略した。
【００３４】
一実施例において、移動局４００は、操作部４１０と、制御部４２０とを有する。操作部４１０は、移動局４００のユーザとのユーザインタフェースとして機能し、ユーザが移動局４００を操作するための各種ボタン、ユーザに各種情報を表示するためのディスプレイ、ユーザが音声通信するためのスピーカーやカメラなどから構成される。
【００３５】
制御部４２０は、操作部４１０からのユーザ入力に従って、移動局４００の各種要素の動作を制御する。制御部４２０は、パケット通信部４３０と、回線交換通信部４４０と、切替制御部４５０と、パケットベース音声発信可否判定部４６０とを有する。制御部４２０は、ＵＭＴＳネットワーク２００とＬＴＥネットワーク３００の双方にアクセス可能である場合、ＬＴＥネットワーク３００と優先的に通信するようにしてもよい。制御部４２０は、パケット通信を行うか、又は回線交換通信を行うかに応じて、操作部４１０から入力された情報を、何れか周知な変換技術を利用してパケットデータ無線信号、デジタル音声無線信号など適切な無線信号に変換する。
【００３６】
パケット通信部４３０は、移動局４００がＵＭＴＳネットワーク２００に無線接続しているとき、移動局４００が操作部４１０を介しユーザからデータ通信タイプの通信要求を受け付けると、基地局２１０，２２０を介しＵＭＴＳネットワーク２００のパケット交換ドメインとパケットデータをやりとりする。また、パケット通信部４３０は、移動局４００がＬＴＥネットワーク２００に無線接続しているとき、操作部４１０を介したユーザからの音声通信を含む任意のタイプの通信要求を受け付けると、基地局３１０とパケットデータをやりとりする。
【００３７】
回線交換通信部４４０は、移動局４００がＵＭＴＳネットワーク２００に無線接続しているとき、移動局４００が操作部４１０を介しユーザから音声通信タイプの通信要求を受け付けると、基地局２１０，２２０を介しＵＭＴＳネットワーク２００の回線交換ドメインとデジタル音声無線信号をやりとりする。
【００３８】
切替制御部４５０は、パケット通信部４３０と、回線交換通信部４４０と、パケットベース音声発信可否判定部４６０とに接続され、パケットベース音声発信可否判定部４６０からの判定結果に基づき、パケット通信部４３０と回線交換通信部４４０を選択的に起動して音声通信を実行させる。具体的には、移動局４００がＬＴＥネットワーク３００に接続しているとき、後述される何れかの理由によりパケットベース音声発信可否判定部４６０からパケット方式での音声通信から回線交換方式での音声通信に切り替えるよう指示されると、切替制御部４５０は、音声通信を回線交換方式で行うことをＬＴＥネットワーク３００に通知するＣＳフォールバック機能を起動する。ＣＳフォールバック機能が実行されると、切替制御部４５０は、ＣＳフォールバックを実行するようＬＴＥネットワーク３００に指示するため、パケット通信部４３０に指定した音声発信を実行させ、その後、ＬＴＥネットワーク３００から通知されたＵＭＴＳネットワーク２００のセルを介し回線交換通信部４４０にＵＭＴＳネットワーク２００の回線交換ドメインと回線交換方式により音声通信させる。
【００３９】
また、切替制御部４５０は、記憶手段（図示せず）を有し、パケットベース音声発信可否判定部４６０により以前にパケット方式による音声通信が不可と判断されたＬＴＥネットワーク３００を記憶手段に登録するようにしてもよい。移動局４００が記憶手段に登録されたＬＴＥネットワーク３００に接続すると、切替制御部４５０は、音声発信時に、パケットベース音声発信可否判定部４６０からの判定結果を参照することなく、当初からＣＳフォールバック機能を実行して、回線交換通信部４４０にＵＭＴＳネットワーク２００の回線交換ドメインと回線交換方式により音声通信させる。なお、パケットベース音声発信可否判定部４６０により以前にパケット方式による音声通信が不可と判断されたＬＴＥネットワーク３００が記憶手段に登録されて一定期間経過した後、切替制御部４５０は、当該ＬＴＥネットワーク３００を記憶手段から削除し、パケットベース音声発信可否判定部４６０からの判定結果を参照することなく当初からＣＳフォールバック機能を実行するという上記処理を無効にするようにしてもよい。
【００４０】
パケットベース音声発信可否判定部４６０は、ＬＴＥネットワーク３００においてＩＭＳ６００などにより提供される音声通信サービスがサポートされているかを示す情報を基地局３１０を介し取得し、この情報に基づき音声通信をパケット方式で行うか、又は回線交換方式で行うか決定する。
【００４１】
移動局４００がＵＭＴＳネットワーク２００とＬＴＥネットワーク３００の双方にアクセス可能であるとき、上述したように制御部４２０はＬＴＥネットワーク３００との通信を優先するかもしれない。
【００４２】
移動局４００がＬＴＥネットワーク３００に位置登録（アタッチ）したとき、パケットベース音声発信可否判定部４６０は、アタッチ時にアクティブ化されたデフォルトＥＰＳ（Ｅｖｏｌｖｅｄ  Ｐａｃｋｅｔ  Ｓｙｓｔｅｍ）ベアラコンテキストに関連付けされた接続先情報であるＡＰＮ（Ａｃｃｅｓｓ  Ｐｏｉｎｔ  Ｎａｍｅ）を取得する。ＥＰＳベアラコンテキストは、ＬＴＥネットワーク３００においてユーザＩＰパケットを転送する際の論理パス構成の設定情報を示すものである。ＬＴＥネットワーク３００によりＩＭＳ６００がサポートされていることを取得したＡＰＮが示す場合、パケットベース音声発信可否判定部４６０は、切替制御部４５０にパケット通信部４３０を用いてパケット方式により音声通信を実行するよう指示する。
【００４３】
他方、ＬＴＥネットワーク３００によりＩＭＳ６００がサポートされていることを取得したＡＰＮが示さない場合、パケットベース音声発信可否判定部４６０は、切替制御部４５０にＣＳフォールバック機能を起動させ、パケット通信部４３０にＣＳフォールバックを指定した音声発信を実行させるよう指示する。このような取得したＡＰＮがＬＴＥネットワーク３００においてＩＭＳ６００がサポートされていることを示さないケースは、ＬＴＥネットワーク３００が実際にＩＭＳ６００をサポートしていないケースの他に、ＬＴＥネットワーク３００がＩＭＳ６００をサポートしている場合であっても、ＡＰＮにＩＭＳ６００に関する情報が含まれていないケースもありうる。
【００４４】
また、パケットベース音声発信可否判定部４６０は、移動局４００がＬＴＥネットワーク３００に位置登録したときだけでなく、登録更新更新時にもＡＰＮを取得して、ＬＴＥネットワーク３００によりＩＭＳ６００がサポートされているか判断し、判定結果に基づき上記と同様の処理を実行するようにしてもよい。
【００４５】
他の実施例では、移動局４００がＬＴＥネットワーク３００に位置登録したとき、又は位置登録を更新したとき、取得したＡＰＮに基づきＬＴＥネットワーク３００がＩＭＳ６００をサポートしているとパケットベース音声発信可否判定部４６０が判断した場合であっても、当該判定以降の何れかの時点でＩＭＳ６００による音声通信制御が何らかの理由により失敗した場合、パケットベース音声発信可否判定部４６０は、標準化された手法に従ってこの音声通信制御の失敗を検出する。この検出に応答して、パケットベース音声発信可否判定部４６０は、切替制御部４５０にＣＳフォールバック機能を起動するよう指示し、パケット通信部４３０にＣＳフォールバックを指定した音声発信を実行させるよう指示する。
【００４６】
ＩＭＳ６００による音声通信は、標準化が行われているが、互換性などの点で移動局４００と接続性が確保されない可能性がある。ＩＭＳ６００が音声制御に失敗した場合には、移動局４００は、標準化に従ってＩＭＳ６００のＳＩＰ（Ｓｅｓｓｉｏｎ  Ｉｎｉｔｉａｔｉｏｎ  Ｐｒｏｔｏｃｏｌ）に失敗したことを自動検出することが可能である。
【００４７】
次に、図３を参照して、移動局４００からの音声発信時における移動通信システムの各要素間の一例となる動作を説明する。図３は、本発明の一実施例による移動通信システムの各要素間の動作を示すシーケンス図である。
【００４８】
本実施例では、移動局４００がＬＴＥネットワーク３００に位置登録したとき、又は位置登録を更新したとき、ＬＴＥネットワーク３００から取得したＡＰＮにＩＭＳ６００がサポートされていることを示す情報がないケースにおいて、移動局４００からの音声発信時における移動通信システム１００のＵＭＴＳネットワーク２００と、ＬＴＥネットワーク３００と、移動局４００とが実行する各処理を示す。
【００４９】
ステップＳ４０２において、移動局４００は、ＬＴＥネットワーク３００に位置登録（アタッチ）するか、又は移動局４００が移動したことにより、ＭＭＥ３３０において移動局４００の位置登録が更新される。この位置登録時及び位置登録更新時、移動局４００は、アクティブ化されたデフォルトＥＰＳベアラコンテキストに関連付けされた接続先情報であるＡＰＮなどを取得する。パケットベース音声発信可否判定部４６０は、取得したＡＰＮを参照して、ＬＴＥネットワーク３００がＩＭＳ６００をサポートしているか判断する。
【００５０】
ステップＳ４０４において、取得したＡＰＮにＩＭＳ６００に関する情報がない場合、パケットベース音声発信可否判定部４６０は、ＬＴＥネットワーク３００がＩＭＳ６００をサポートしていないと判断し、切替制御部４５０にこの判定結果を通知する。
【００５１】
ステップＳ４０６において、移動局４００のユーザが操作部４１０を介し音声通信の開始を指示すると、操作部４１０は制御部４２０に音声通信の開始を指示する。
【００５２】
ステップＳ４０８において、制御部４２０は、パケット通信部４３０にＬＴＥネットワーク３００の基地局３１０にシグナリング確立要求を送信する。移動局４００から基地局３１０を介しシグナリング確立要求を受信すると、ＬＴＥネットワーク３００は、基地局３１０からシグナリング確立応答を送信する。
【００５３】
ステップＳ４１０において、ＬＴＥネットワーク３００からシグナリング確立応答を受信すると、切替制御部４５０は、ステップＳ４０４においてパケットベース音声着信可否判定部４６０から提供された判定結果に従って、音声通信を回線交換方式で行うことをＬＴＥネットワーク３００に通知するため、ＣＳフォールバックの開始を指示する。
【００５４】
ステップＳ４１２において、移動局４００からＣＳフォールバックの開始指示を受信すると、ＬＴＥネットワーク３００は、ＵＭＴＳネットワーク２００と同期して、ＭＭＥ３３０又は基地局３１０に登録された移動局４００の位置に対応するＵＭＴＳネットワーク２００のセルを決定する。ＬＴＥネットワーク３００は、決定したＵＭＴＳネットワーク２００のセルを移動局４００に通知し、移動局４００に当該セルに接続するよう誘導する。
【００５５】
ステップＳ４１４において、ＬＴＥネットワーク３００から上記通知を受信すると、移動局４００は、ＬＴＥネットワーク３００とのシグナリングを開放して、次にＵＭＴＳネットワーク２００とのシグナリングを確立するため、ＬＴＥネットワーク３００にシグナリング開放要求を送信する。移動局４００から基地局３１０を介しシグナリング開放要求を受信すると、ＬＴＥネットワーク３００は、シグナリング開放応答を移動局４００に送信し、シグナリングを開放する。
【００５６】
ステップＳ４１６において、ＬＴＥネットワーク３００からシグナリング開放応答を受信すると、移動局４００は、シグナリングを開放し、ステップＳ４１４において受信したＵＭＴＳネットワーク２００のセルに係る基地局２１０，２２０に、シグナリング確立要求を送信する。基地局２１０，２２０を介し移動局４００からのシグナリング確立要求を受信すると、ＵＭＴＳネットワーク２００は、シグナリング確立応答を移動局４００に送信する。
【００５７】
ステップＳ４１８において、ＵＭＴＳネットワーク２００からシグナリング確立応答を受信すると、移動局４００は、回線交換通信部４４０を利用して、ＵＭＴＳネットワーク２００の回線交換ドメインにより音声通信を実行する。
【００５８】
本実施例によると、ＬＴＥネットワーク３００がＩＭＳ６００をサポートしているか、位置登録時又は位置登録更新時に判断するため、ＣＳフォールバック機能によってパケット音声通信（ＶｏＩＰ）から回線交換方式の音声通信に迅速に切り替えることが可能となる。
【００５９】
次に、図４を参照して、移動局４００からの音声発信時における移動通信システムの各要素間の一例となる動作を説明する。図４は、本発明の他の実施例による移動通信システムの各要素間の動作を示すシーケンス図である。
【００６０】
本実施例では、移動局４００がＬＴＥネットワーク３００に位置登録したとき、又は位置登録を更新したとき、ＬＴＥネットワーク３００から取得したＡＰＮにＩＭＳ６００がサポートされていることを示す情報が確認されたケースであって、さらに移動局４００がユーザからの音声発信指示を受け付け、ＩＭＳ６００への接続を試みたが接続に失敗したケースにおいて、移動局４００からの音声発信時における移動通信システム１００のＵＭＴＳネットワーク２００と、ＬＴＥネットワーク３００と、移動局４００とが実行する各処理を示す。
【００６１】
ステップＳ５０２において、移動局４００は、ＬＴＥネットワーク３００に位置登録（アタッチ）するか、又は移動局４００が移動したことにより、ＭＭＥ３３０又は基地局３１０において移動局４００の位置登録が更新される。Ｓ４０２と同様に、パケットベース音声発信可否判定部４６０は、取得したＡＰＮを参照して、ＬＴＥネットワーク３００がＩＭＳ６００をサポートしているか判断する。
【００６２】
ステップＳ５０４において、取得したＡＰＮにＩＭＳ６００に関する情報がある場合、パケットベース音声発信可否判定部４６０は、ＬＴＥネットワーク３００がＩＭＳ６００をサポートしていると判断し、切替制御部４５０にこの判定結果を通知する。
【００６３】
ステップＳ５０６において、移動局４００のユーザが操作部４１０を介し音声通信の開始を指示すると、操作部４１０は制御部４２０に音声通信の開始を指示する。
【００６４】
ステップＳ５０８において、制御部４２０は、パケット通信部４３０にＬＴＥネットワーク３００の基地局３１０にシグナリング確立要求を送信する。移動局４００から基地局３１０を介しシグナリング確立要求を受信すると、ＬＴＥネットワーク３００は、基地局３１０からシグナリング確立応答を送信する。
【００６５】
ステップＳ５１０において、ＬＴＥネットワーク３００からシグナリング確立応答を受信すると、移動局４００は、ＩＭＳ６００を利用したパケット形式による音声発信を試みる。
【００６６】
ステップＳ５１２において、何らかの理由によりＩＭＳ６００が、移動局４００から要求された音声通信の制御（ＩＭＳ  Ｃａｌｌ  Ｃｏｎｔｒｏｌ）に失敗する。移動局４００が、このＩＭＳ６００の音声通信の制御失敗を検出すると、パケットベース音声発信可否判定部４６０は、切替制御部４５０にＣＳフォールバック機能を起動するよう指示する。
【００６７】
ステップＳ５１４において、パケットベース音声発信可否判定部４６０からＣＳフォールバックを起動する指示を受信すると、切替制御部４５０は、パケット交換形式による音声通信から回線交換形式による音声通信への自動切替処理を開始する。すなわち、切替制御部４５０は、パケット通信部４３０にＬＴＥネットワーク３００へのＣＳフォールバックの送信を指示する。
【００６８】
ステップＳ５１６において、切替制御部４５０からＬＴＥネットワーク３００へのＣＳフォールバックの送信指示を受信すると、パケット通信部４３０は、音声通信を回線交換方式で行うことをＬＴＥネットワーク３００に通知するため、ＬＴＥネットワーク３００にＣＳフォールバックの開始を指示する。
【００６９】
ステップＳ５１８において、移動局４００からＣＳフォールバックの開始指示を受信すると、ＬＴＥネットワーク３００は、ＵＭＴＳネットワーク２００と同期して、ＭＭＥ３３０又は基地局３１０に登録された移動局４００の位置に対応するＵＭＴＳネットワーク２００のセルを決定する。ＬＴＥネットワーク３００は、決定したＵＭＴＳネットワーク２００のセルを移動局４００に通知し、移動局４００に当該セルに接続するよう誘導する。
【００７０】
ステップＳ５２０において、ＬＴＥネットワーク３００から上記通知を受信すると、移動局４００は、ＬＴＥネットワーク３００とのシグナリングを開放して、ＵＭＴＳネットワーク２００とのシグナリングを確立するため、ＬＴＥネットワーク３００にシグナリング開放要求を送信する。移動局４００から基地局３１０を介しシグナリング開放要求を受信すると、ＬＴＥネットワーク３００は、シグナリング開放応答を移動局４００に送信し、シグナリングを開放する。
【００７１】
ステップＳ５２２において、ＬＴＥネットワーク３００からシグナリング開放応答を受信すると、移動局４００は、シグナリングを開放し、ステップＳ５１８において受信したＵＭＴＳネットワーク２００のセルに係る基地局２１０，２２０に、シグナリング確立要求を送信する。基地局２１０，２２０を介し移動局４００からのシグナリング確立要求を受信すると、ＵＭＴＳネットワーク２００は、シグナリング確立応答を移動局４００に送信する。
【００７２】
ステップＳ５２４において、ＵＭＴＳネットワーク２００からシグナリング確立応答を受信すると、移動局４００は、回線交換通信部４４０を利用して、ＵＭＴＳネットワーク２００の回線交換ドメインにより音声通信を実行する。
【００７３】
本実施例によると、ＬＴＥネットワーク３００がＩＭＳ６００をサポートしている場合でも、移動局４００がＩＭＳ６００と接続に失敗した場合、ＣＳフォールバック機能によってパケット音声通信（ＶｏＩＰ）から回線交換方式の音声通信に迅速に切り替えることが可能となる。
【００７４】
次に、図５を参照して、移動局４００からの音声発信時における移動通信システムの各要素間の一例となる動作を説明する。図５は、本発明の他の実施例による移動通信システムの各要素間の動作を示すシーケンス図である。
【００７５】
本実施例では、移動局４００がＬＴＥネットワーク３００に位置登録したとき、又は位置登録を更新したとき、ＬＴＥネットワーク３００から取得したＡＰＮにＩＭＳ６００がサポートされていることを示す情報が確認されたケースであって、さらに移動局４００がユーザからの音声発信指示を受け付ける前に、ＩＭＳ６００による音声制御失敗を検出したケースにおいて、移動局４００からの音声発信時における移動通信システム１００のＵＭＴＳネットワーク２００と、ＬＴＥネットワーク３００と、移動局４００とが実行する各処理を示す。
【００７６】
ステップＳ６０２において、移動局４００は、ＬＴＥネットワーク３００に位置登録（アタッチ）するか、又は移動局４００が移動したことにより、ＭＭＥ３３０において移動局４００の位置登録が更新される。Ｓ４０２，Ｓ５０２と同様に、パケットベース音声発信可否判定部４６０は、取得したＡＰＮを参照して、ＬＴＥネットワーク３００がＩＭＳ６００をサポートしているか判断する。
【００７７】
ステップＳ６０４において、取得したＡＰＮにＩＭＳ６００に関する情報がある場合、パケットベース音声発信可否判定部４６０は、ＬＴＥネットワーク３００がＩＭＳ６００をサポートしていると判断し、切替制御部４５０にこの判定結果を通知する。
【００７８】
ステップＳ６０６において、移動局４００は、ＩＭＳ６００が何らかの理由により音声制御に失敗したことを検出する。移動局４００が、このＩＭＳ６００による音声制御の失敗を検出すると、パケットベース音声発信可否判定部４６０は、切替制御部４５０にＣＳフォールバック機能を起動するよう指示する。
【００７９】
ステップＳ６０８において、移動局４００のユーザが操作部４１０を介し音声通信の開始を指示すると、操作部４１０は制御部４２０に音声通信の開始を指示する。
【００８０】
ステップＳ６１０において、切替制御部４５０は、パケット通信部４３０にＣＳフォールバックのＬＴＥネットワーク３００への送信を指示する。切替制御部４５０からＣＳフォールバックを指定したＬＴＥネットワーク３００への音声発信の指示を受信すると、パケット通信部４３０は、音声通信を回線交換方式で行うことをＬＴＥネットワーク３００に通知するため、ＬＴＥネットワーク３００へのＣＳフォールバックの開始を送信する。
【００８１】
ステップＳ６１２において、移動局４００からＣＳフォールバックを指定した音声発信を受信すると、ＬＴＥネットワーク３００は、ＵＭＴＳネットワーク２００と同期して、ＭＭＥ３３０に登録された移動局４００の位置に対応するＵＭＴＳネットワーク２００のセルを決定する。ＬＴＥネットワーク３００は、決定したＵＭＴＳネットワーク２００のセルを移動局４００に通知し、移動局４００に当該セルに接続するよう誘導する。
【００８２】
ステップＳ６１４において、ＬＴＥネットワーク３００から上記通知を受信すると、移動局４００は、ＬＴＥネットワーク３００とのシグナリングを開放して、ＵＭＴＳネットワーク２００とのシグナリングを確立するため、ＬＴＥネットワーク３００にシグナリング開放要求を送信する。移動局４００から基地局３１０を介しシグナリング開放要求を受信すると、ＬＴＥネットワーク３００は、シグナリング開放応答を移動局４００に送信し、シグナリングを開放する。
【００８３】
ステップＳ６１６において、ＬＴＥネットワーク３００からシグナリング開放応答を受信すると、移動局４００は、シグナリングを開放し、ステップＳ６１２において受信したＵＭＴＳネットワーク２００のセルに係る基地局２１０，２２０に、シグナリング確立要求を送信する。基地局２１０，２２０を介し移動局４００からのシグナリング確立要求を受信すると、ＵＭＴＳネットワーク２００は、シグナリング確立応答を移動局４００に送信する。
【００８４】
ステップＳ６１８において、ＵＭＴＳネットワーク２００からシグナリング確立応答を受信すると、移動局４００は、回線交換通信部４４０を利用して、ＵＭＴＳネットワーク２００の回線交換ドメインにより音声通信を実行する。
【００８５】
本実施例によると、ＬＴＥネットワーク３００がＩＭＳ６００をサポートしている場合でも、移動局４００がＩＭＳ６００と接続に失敗した場合、音声発信当初からＣＳフォールバック機能を起動させることによって、パケット音声通信（ＶｏＩＰ）から回線交換方式の音声通信に迅速に切り替えることが可能となる。
【００８６】
次に、図６を参照して、移動局４００への音声着信時における移動通信システムの各要素間の一例となる動作を説明する。図６は、本発明の他の実施例による移動通信システムの各要素間の動作を示すシーケンス図である。
【００８７】
本実施例では、移動局４００からの音声着信時における移動通信システム１００のＵＭＴＳネットワーク２００と、ＬＴＥネットワーク３００と、移動局４００とが実行する各処理を示す。ここでは、ＬＴＥネットワーク３００がＩＭＳ６００をサポートしていることを前提とする。
【００８８】
ステップＳ７０２において、ＬＴＥネットワーク３００は、他の移動局などから移動局４００への音声発信を受信する（移動局４００による音声着信）。
【００８９】
ステップＳ７０４において、他の移動局などから移動局４００への音声発信に応答して、ＬＴＥネットワーク３００は、ＭＭＥ３３０に登録されている移動局４００の位置情報から移動局４００が在圏する基地局３１０を特定し、基地局３１０にページング信号を発信するよう指示する。
【００９０】
ステップＳ７０６において、基地局３１０から移動局４００へのページング信号を受信すると、制御部４２０は、パケット通信部４３０にＬＴＥネットワーク３００の基地局３１０にシグナリング確立要求を送信する。移動局４００から基地局３１０を介しシグナリング確立要求を受信すると、ＬＴＥネットワーク３００は、基地局３１０からシグナリング確立応答を送信する。
【００９１】
ステップＳ７０８において、ＬＴＥネットワーク３００からシグナリング確立応答を受信すると、移動局４００は、ＩＭＳ６００を利用したパケット形式による音声通信を開始するという応答を送信する。
【００９２】
ステップＳ７１０において、何らかの理由によりＩＭＳ６００が、音声通信の制御（ＩＭＳ  Ｃａｌｌ  Ｃｏｎｔｒｏｌ）に失敗する。移動局４００が、このＩＭＳ６００の音声通信の制御失敗を検出すると、パケットベース音声発信可否判定部４６０は、切替制御部４５０にＣＳフォールバック機能を起動するよう指示する。
【００９３】
ステップＳ７１２において、パケットベース音声発信可否判定部４６０からＣＳフォールバックを起動する指示を受信すると、切替制御部４５０は、パケット交換形式による音声通信から回線交換形式による音声通信への自動切替処理を開始する。すなわち、切替制御部４５０は、パケット通信部４３０にＬＴＥネットワーク３００へのＣＳフォールバックの開始を送信させる。
【００９４】
ステップＳ７１４において、切替制御部４５０からＬＴＥネットワーク３００へのＣＳフォールバックの送信指示を受信すると、パケット通信部４３０は、音声通信を回線交換方式で行うことをＬＴＥネットワーク３００に通知するため、ＣＳフォールバックの開始をＬＴＥネットワーク３００に送信する。
【００９５】
ステップＳ７１６において、移動局４００からＣＳフォールバックの開始を受信すると、ＬＴＥネットワーク３００は、ＵＭＴＳネットワーク２００と同期して、ＭＭＥ３３０に登録された移動局４００の位置に対応するＵＭＴＳネットワーク２００のセルを決定する。ＬＴＥネットワーク３００は、決定したＵＭＴＳネットワーク２００のセルを移動局４００に通知し、移動局４００に当該セルに接続するよう誘導する。
【００９６】
ステップＳ７１８において、ＬＴＥネットワーク３００から上記通知を受信すると、移動局４００は、ＬＴＥネットワーク３００とのシグナリングを開放して、ＵＭＴＳネットワーク２００とのシグナリングを確立するため、ＬＴＥネットワーク３００にシグナリング開放要求を送信する。移動局４００から基地局３１０を介しシグナリング開放要求を受信すると、ＬＴＥネットワーク３００は、シグナリング開放応答を移動局４００に送信し、シグナリングを開放する。
【００９７】
ステップＳ７２０において、ＬＴＥネットワーク３００からシグナリング開放応答を受信すると、移動局４００は、シグナリングを開放し、ステップＳ７１６において受信したＵＭＴＳネットワーク２００のセルに係る基地局２１０，２２０に、シグナリング確立要求を送信する。基地局２１０，２２０を介し移動局４００からのシグナリング確立要求を受信すると、ＵＭＴＳネットワーク２００は、シグナリング確立応答を移動局４００に送信する。
【００９８】
ステップＳ７２２において、ＵＭＴＳネットワーク２００からシグナリング確立応答を受信すると、移動局４００は、回線交換通信部４４０を利用して、ＵＭＴＳネットワーク２００の回線交換ドメインにより音声通信を実行する。
【００９９】
本実施例によると、ＬＴＥネットワーク３００がＩＭＳ６００をサポートしている場合でも、移動局４００がＩＭＳ６００と接続に失敗した場合、ＣＳフォールバック機能によってＶｏＩＰから回線交換方式の音声通信に迅速に切り替えることが可能となる。
【０１００】
次に、図７を参照して、移動局４００への音声着信時における移動通信システムの各要素間の一例となる動作を説明する。図７は、本発明の他の実施例による移動通信システムの各要素間の動作を示すシーケンス図である。
【０１０１】
本実施例では、移動局４００がＬＴＥネットワーク３００に位置登録したとき、又は位置登録を更新したとき、ＬＴＥネットワーク３００から取得したＡＰＮにＩＭＳ６００がサポートされていることを示す情報が確認されたケースであって、さらにＬＴＥネットワーク３００から移動局４００への音声着信を受け付ける前に、ＩＭＳ６００による音声制御失敗を検出したケースにおいて、移動局４００への音声着信時における移動通信システム１００のＵＭＴＳネットワーク２００と、ＬＴＥネットワーク３００と、移動局４００とが実行する各処理を示す。
【０１０２】
ステップＳ８０２において、移動局４００は、ＬＴＥネットワーク３００に位置登録（アタッチ）するか、又は移動局４００が移動したことにより、ＭＭＥ３３０において移動局４００の位置登録が更新される。パケットベース音声発信可否判定部４６０は、取得したＡＰＮを参照して、ＬＴＥネットワーク３００がＩＭＳ６００をサポートしているか判断する。
【０１０３】
ステップＳ８０４において、取得したＡＰＮにＩＭＳ６００に関する情報がある場合、パケットベース音声発信可否判定部４６０は、ＬＴＥネットワーク３００がＩＭＳ６００をサポートしていると判断し、切替制御部４５０にこの判定結果を通知する。
【０１０４】
ステップＳ８０６において、移動局４００は、ＩＭＳ６００が何らかの理由により音声制御に失敗したことを検出する。移動局４００が、このＩＭＳ６００による音声制御の失敗を検出すると、パケットベース音声発信可否判定部４６０は、切替制御部４５０にＣＳフォールバック機能を起動するよう指示する。
【０１０５】
ステップＳ８０８において、ＬＴＥネットワーク３００は、他の移動局などから移動局４００への音声発信を受信する（移動局４００による音声着信）。
【０１０６】
ステップＳ８１０において、他の移動局などから移動局４００への音声発信に応答して、ＬＴＥネットワーク３００は、ＭＭＥ３３０に登録されている移動局４００の位置情報から移動局４００が在圏する基地局３１０を特定し、基地局３１０にページング信号を発信させる。
【０１０７】
ステップＳ８１２において、基地局３１０から移動局４００へのページング信号を受信すると、制御部４２０は、パケット通信部４３０にＬＴＥネットワーク３００の基地局３１０にシグナリング確立要求を送信する。移動局４００から基地局３１０を介しシグナリング確立要求を受信すると、ＬＴＥネットワーク３００は、基地局３１０からシグナリング確立応答を送信する。
【０１０８】
ステップＳ８１４において、ＬＴＥネットワーク３００からシグナリング確立応答を受信すると、Ｓ８０６においてパケットベース音声発信可否判定部４６０から受信した判定結果に従って、切替制御部４５０は、音声通信を回線交換方式で行うことをＬＴＥネットワーク３００に通知するため、パケット通信部４３０にＣＳフォールバックの開始をＬＴＥネットワーク３００に送信させる。
【０１０９】
ステップＳ８１６において、移動局４００からＣＳフォールバックの開始指示を受信すると、ＬＴＥネットワーク３００は、ＵＭＴＳネットワーク２００と同期して、ＭＭＥ３３０に登録された移動局４００の位置に対応するＵＭＴＳネットワーク２００のセルを決定する。ＬＴＥネットワーク３００は、決定したＵＭＴＳネットワーク２００のセルを移動局４００に通知し、移動局４００に当該セルに接続するよう誘導する。
【０１１０】
ステップＳ８１８において、ＬＴＥネットワーク３００から上記通知を受信すると、移動局４００は、ＬＴＥネットワーク３００とのシグナリングを開放して、ＵＭＴＳネットワーク２００とのシグナリングを確立するため、ＬＴＥネットワーク３００にシグナリング開放要求を送信する。移動局４００から基地局３１０を介しシグナリング開放要求を受信すると、ＬＴＥネットワーク３００は、シグナリング開放応答を移動局４００に送信し、シグナリングを開放する。
【０１１１】
ステップＳ８２０において、ＬＴＥネットワーク３００からシグナリング開放応答を受信すると、移動局４００は、シグナリングを開放し、ステップＳ７１６において受信したＵＭＴＳネットワーク２００のセルに係る基地局２１０，２２０に、シグナリング確立要求を送信する。基地局２１０，２２０を介し移動局４００からのシグナリング確立要求を受信すると、ＵＭＴＳネットワーク２００は、シグナリング確立応答を移動局４００に送信する。
【０１１２】
ステップＳ８２２において、ＵＭＴＳネットワーク２００からシグナリング確立応答を受信すると、移動局４００は、回線交換通信部４４０を利用して、ＵＭＴＳネットワーク２００の回線交換ドメインにより音声通信を実行する。
【０１１３】
本実施例によると、ＬＴＥネットワーク３００がＩＭＳ６００をサポートしている場合でも、移動局４００がＩＭＳ６００と接続に失敗した場合、ＣＳフォールバック機能によってＶｏＩＰから回線交換方式の音声通信に迅速に切り替えることが可能となる。
【０１１４】
次に、図８を参照して、移動局４００からのＣＳフォールバック発信に応答した移動通信システムの各要素間の音声通信制御の具体例を説明する。図８は、ＣＳフォールバック発信に応答した音声通信例を示す。
【０１１５】
ステップＳ９０２において、移動局４００は、ＬＴＥネットワーク３００とのＲＲＣ  Ｃｏｎｎｅｃｔｉｏｎを要求するため、ＬＴＥネットワーク３００にＲＲＣ  Ｃｏｎｎｅｃｔｉｏｎ  Ｒｅｑｕｅｓｔを送信する。
【０１１６】
ステップＳ９０４において、ＬＴＥネットワーク３００は、ＲＲＣ  Ｃｏｎｎｅｃｔｉｏｎ  Ｓｅｔｕｐにより応答する。
【０１１７】
ステップＳ９０６において、移動局４００は、ＲＲＣ  Ｃｏｎｎｅｃｔｉｏｎ  Ｓｅｔｕｐ  Ｃｏｍｐｌｅｔｅを送信する。ここで、このメッセージには、ＣＳフォールバック発信元である移動局３００に設定されているサービスタイプを含むＥｘｔｅｎｄｅｄ  Ｓｅｒｖｉｃｅ  Ｒｅｑｕｅｓｔが一緒に送信される。
【０１１８】
ステップＳ９０８において、ＬＴＥネットワーク３００は、ＣＳフォールバックの開始の通知に応答して、ＵＭＴＳネットワーク２００と同期して、ＭＭＥ３３０又は基地局３１０に登録されている移動局４００の位置に対応するＵＭＴＳネットワーク２００のセルを決定する。本実施例では、ＵＭＴＳネットワーク２００のセル２が決定される。ＬＴＥネットワーク３００は、セル２を指定したＭｏｂｉｌｉｔｙ  Ｆｒｏｍ  ＥＵＴＲＡ  Ｃｏｍｍａｎｄを送信する。
【０１１９】
ステップＳ９１０において、移動局４００は、ＵＭＴＳネットワーク２００のセル２にＨａｎｄｏｖｅｒ  Ｔｏ  ＵＴＲＡＮ  Ｃｏｍｐｌｅｔｅを送信する。
【０１２０】
ステップＳ９１２〜Ｓ９４２において、移動局４００は、ＵＭＴＳネットワーク２００からの要求に従って各種設定を行う。
【０１２１】
ステップＳ９４４において、移動局４００は、Ｓｅｔｕｐを送信する。
【０１２２】
ステップＳ９４６において、ＵＭＴＳネットワーク２００は、Ｃａｌｌ  Ｐｒｏｃｅｅｄｉｎｇを送信する。
【０１２３】
ステップＳ９４８〜Ｓ９５０において、無線ベアラが設定される。
【０１２４】
ステップＳ９５２において、ＵＭＴＳネットワーク２００は、Ａｌｅｒｔｉｎｇを送信する。
【０１２５】
ステップＳ９５４において、ＵＭＴＳネットワーク２００は、Ｃｏｎｎｅｃｔを送信する。
【０１２６】
ステップＳ９５６において、移動局４００は、Ｃｏｎｎｅｃｔ  Ａｃｋｎｏｗｌｅｄｇｅにより応答する。
【０１２７】
図８に記載された各メッセージは、標準化に準拠したメッセージである。
【０１２８】
以上、本発明が特定の実施例を参照しながら説明されてきたが、それらは単なる例示に過ぎず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。発明の理解を促すため具体的な数式を用いて説明がなされたが、特に断りのない限り、それらの数式は単なる一例に過ぎず適切な如何なる数式が使用されてもよい。実施例又は項目の区分けは本発明に本質的ではなく、２以上の実施例又は項目に記載された事項が必要に応じて組み合わせて使用されてよい。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が本発明に包含される。
【符号の説明】
【０１２９】
１００  移動通信システム
２００  ＵＴＭＳネットワーク
３００  ＬＴＥネットワーク
４００  移動局
５００  ＰＤＮ  ＳＡＥゲートウェイ
６００  ＩＭＳ
【図１】
2010251864.tif 000003
【図２】
2010251864.tif 000004
【図３】
2010251864.tif 000005
【図４】
2010251864.tif 000006
【図５】
2010251864.tif 000007
【図６】
2010251864.tif 000008
【図７】
2010251864.tif 000009
【図８】
2010251864.tif 000010